(57)【要約】【課題】予め定められた画像処理を実行すべき画像の特定を紙媒体を印刷する印刷手段が印刷する内容に対応する画像を用いて行う画像処理装置、画像処理システム及びプログラムを提供する。【解決手段】画像出力部５２が、紙媒体を印刷する印刷部５０が印刷する内容に対応する画像を画像記憶部６８に出力する。画像取得部５６が、紙媒体に印刷されている内容を読み取る読み取り部５４による読み取り結果に応じた画像を複数取得する。画像処理実行部６２が、画像取得部５６により取得される各画像と画像記憶部６８に記憶されている画像との比較結果に基づいて画像取得部５６により取得される複数の画像のうちから特定される画像に対して、予め定められた画像処理を実行する。【選択図】図２
2011180939.tif 000002
【特許請求の範囲】
【請求項１】
紙媒体を印刷する印刷手段が印刷する内容に対応する画像を画像記憶手段に出力する画像出力手段と、
紙媒体に印刷されている内容を読み取る読み取り手段による読み取り結果に応じた画像を複数取得する画像取得手段と、
前記画像取得手段により取得される各画像と前記画像記憶手段に記憶されている画像との比較結果に基づいて前記画像取得手段により取得される複数の画像のうちから特定される画像に対して、予め定められた画像処理を実行する画像処理実行手段と、
を含むことを特徴とする画像処理装置。
【請求項２】
前記画像出力手段は、前記印刷手段が利用者から受け付ける設定に従って紙媒体を印刷する際に、当該設定に従って紙媒体に印刷される内容に対応する画像を前記画像記憶手段に出力する、
ことを特徴とする請求項１に記載の画像処理装置。
【請求項３】
前記画像出力手段が、前記画像と、当該画像に対する処理の内容を示す処理内容情報と、を関連付けて前記画像記憶手段に出力し、
前記画像処理実行手段が、前記特定される画像に対して、前記処理内容情報に対応する処理を実行する、
ことを特徴とする請求項１又は２に記載の画像処理装置。
【請求項４】
前記画像出力手段が、前記画像と当該画像内における前記画像処理の対象となる領域の位置を示す位置情報とを関連付けて前記画像記憶手段に出力し、
前記画像処理実行手段が、前記特定される画像内の前記位置情報に対応する領域に対して前記画像処理を実行する、
ことを特徴とする請求項３に記載の画像処理装置。
【請求項５】
前記画像出力手段が、前記紙媒体に印刷される内容に対応する、互いに異なる複数の画像を前記画像記憶手段に出力する、
ことを特徴とする請求項１から４のいずれか一項に記載の画像処理装置。
【請求項６】
前記画像出力手段が出力する各画像が、前記読み取り手段により紙媒体が読み取られる際に利用者から受け付ける設定を示す情報に関連付けられており、
前記読み取り手段が、利用者から受け付ける設定に従って紙媒体に印刷されている内容を読み取り、
前記画像処理実行手段が、前記画像取得手段により取得される各画像と、前記読み取り手段が利用者から受け付けた設定を示す情報に関連付けられている前記画像記憶手段に記憶されている画像と、の比較結果に基づいて前記画像取得手段により取得される複数の画像のうちから特定される画像に対して前記画像処理を実行する、
ことを特徴とする請求項５に記載の画像処理装置。
【請求項７】
前記画像処理実行手段が、前記読み取り手段により読み取られる紙媒体の大きさに応じた前記画像記憶手段に記憶されている画像と、前記画像取得手段により取得される各画像との比較結果に基づいて特定される画像に対して前記画像処理を実行する、
ことを特徴とする請求項１から６のいずれか一項に記載の画像処理装置。
【請求項８】
印刷装置と読み取り装置とを備え、
前記印刷装置が、
紙媒体を印刷する印刷手段と、
前記紙媒体に印刷される内容に対応する画像を画像記憶手段に出力する画像出力手段と、を含み、
前記読み取り装置が、
紙媒体に印刷されている内容を読み取る読み取り手段と、
前記紙媒体に印刷されている内容の読み取り結果に応じた画像を複数取得する画像取得手段と、
前記画像取得手段により取得される各画像と前記画像記憶手段に記憶されている画像との比較結果に基づいて前記画像取得手段により取得される複数の画像のうちから特定される画像に対して、予め定められた画像処理を実行する画像処理実行手段と、を含む、
ことを特徴とする画像処理システム。
【請求項９】
紙媒体を印刷する印刷手段が印刷する内容に対応する画像を画像記憶手段に出力する画像出力手段、
紙媒体に印刷されている内容を読み取る読み取り手段による読み取り結果に応じた画像を複数取得する画像取得手段、
前記画像取得手段により取得される各画像と前記画像記憶手段に記憶されている画像との比較結果に基づいて前記画像取得手段により取得される複数の画像のうちから特定される画像に対して、予め定められた画像処理を実行する画像処理実行手段、
としてコンピュータを機能させることを特徴とするプログラム。
【発明の詳細な説明】
【技術分野】
【０００１】
本発明は、画像処理装置、画像処理システム及びプログラムに関する。
【背景技術】
【０００２】
印刷物から二次元コードを読み取って、この二次元コードに対応する画像処理を実行する技術が存在する。特許文献１には、処理対象となる項目と処理種を指示する指示情報に対応する二次元コードが印刷された印刷物のイメージデータを読み取って、読み取られたイメージデータ内に含まれる二次元コードの解析結果から特定される処理種に応じてデータが改竄されたか否かをチェックする処理等を実行するデータ処理システムが記載されている。
【先行技術文献】
【特許文献】
【０００３】
【特許文献１】特開２００７−１２８２７０号公報
【発明の概要】
【発明が解決しようとする課題】
【０００４】
本発明は、予め定められた画像処理を実行すべき画像の特定を紙媒体を印刷する印刷手段が印刷する内容に対応する画像を用いて行う画像処理装置、画像処理システム及びプログラムを提供することを目的とする。
【課題を解決するための手段】
【０００５】
請求項１に記載の発明は、画像処理装置であって、紙媒体を印刷する印刷手段が印刷する内容に対応する画像を画像記憶手段に出力する画像出力手段と、紙媒体に印刷されている内容を読み取る読み取り手段による読み取り結果に応じた画像を複数取得する画像取得手段と、前記画像取得手段により取得される各画像と前記画像記憶手段に記憶されている画像との比較結果に基づいて前記画像取得手段により取得される複数の画像のうちから特定される画像に対して、予め定められた画像処理を実行する画像処理実行手段と、を含むこととしたものである。
【０００６】
請求項２に記載の発明は、請求項１に記載の画像処理装置であって、前記画像出力手段は、前記印刷手段が利用者から受け付ける設定に従って紙媒体を印刷する際に、当該設定に従って紙媒体に印刷される内容に対応する画像を前記画像記憶手段に出力することとしたものである。
【０００７】
請求項３に記載の発明は、請求項１又は２に記載の画像処理装置であって、前記画像出力手段が、前記画像と、当該画像に対する処理の内容を示す処理内容情報と、を関連付けて前記画像記憶手段に出力し、前記画像処理実行手段が、前記特定される画像に対して、前記処理内容情報に対応する処理を実行することとしたものである。
【０００８】
請求項４に記載の発明は、請求項３に記載の画像処理装置であって、前記画像出力手段が、前記画像と当該画像内における前記画像処理の対象となる領域の位置を示す位置情報とを関連付けて前記画像記憶手段に出力し、前記画像処理実行手段が、前記特定される画像内の前記位置情報に対応する領域に対して前記画像処理を実行することとしたものである。
【０００９】
請求項５に記載の発明は、請求項１から４のいずれか一項に記載の画像処理装置であって、前記画像出力手段が、前記紙媒体に印刷される内容に対応する、互いに異なる複数の画像を前記画像記憶手段に出力することとしたものである。
【００１０】
請求項６に記載の発明は、請求項５に記載の画像処理装置であって、前記画像出力手段が出力する各画像が、前記読み取り手段により紙媒体が読み取られる際に利用者から受け付ける設定を示す情報に関連付けられており、前記読み取り手段が、利用者から受け付ける設定に従って紙媒体に印刷されている内容を読み取り、前記画像処理実行手段が、前記画像取得手段により取得される各画像と、前記読み取り手段が利用者から受け付けた設定を示す情報に関連付けられている前記画像記憶手段に記憶されている画像と、の比較結果に基づいて前記画像取得手段により取得される複数の画像のうちから特定される画像に対して前記画像処理を実行することとしたものである。
【００１１】
請求項７に記載の発明は、請求項１から６のいずれか一項に記載の画像処理装置であって、前記画像処理実行手段が、前記読み取り手段により読み取られる紙媒体の大きさに応じた前記画像記憶手段に記憶されている画像と、前記画像取得手段により取得される各画像との比較結果に基づいて特定される画像に対して前記画像処理を実行することとしたものである。
【００１２】
請求項８に記載の発明は、画像処理システムであって、印刷装置と読み取り装置とを備え、前記印刷装置が、紙媒体を印刷する印刷手段と、前記紙媒体に印刷される内容に対応する画像を画像記憶手段に出力する画像出力手段と、を含み、前記読み取り装置が、紙媒体に印刷されている内容を読み取る読み取り手段と、前記紙媒体に印刷されている内容の読み取り結果に応じた画像を複数取得する画像取得手段と、前記画像取得手段により取得される各画像と前記画像記憶手段に記憶されている画像との比較結果に基づいて前記画像取得手段により取得される複数の画像のうちから特定される画像に対して、予め定められた画像処理を実行する画像処理実行手段と、を含むこととしたものである。
【００１３】
請求項９に記載の発明は、プログラムであって、紙媒体を印刷する印刷手段が印刷する内容に対応する画像を画像記憶手段に出力する画像出力手段、紙媒体に印刷されている内容を読み取る読み取り手段による読み取り結果に応じた画像を複数取得する画像取得手段、前記画像取得手段により取得される各画像と前記画像記憶手段に記憶されている画像との比較結果に基づいて前記画像取得手段により取得される複数の画像のうちから特定される画像に対して、予め定められた画像処理を実行する画像処理実行手段、としてコンピュータを機能させることとしたものである。
【発明の効果】
【００１４】
請求項１，８，９に記載の発明によれば、紙媒体に印刷した内容に対応する画像と読み取り手段により読み取った複数の画像とを比較して、当該読み取った複数の画像から画像処理を実行すべき画像を特定することができる。
【００１５】
請求項２に記載の発明によれば、利用者が指定する印刷に関する設定が画像記憶手段に出力される画像に反映される。
【００１６】
請求項３に記載の発明によれば、画像に実行すべき処理の内容を制御することができる。
【００１７】
請求項４に記載の発明によれば、本構成を有しない場合と比較して、予め定められた画像処理を示す情報を位置情報を用いて特定できる。
【００１８】
請求項５に記載の発明によれば、本構成を有しない場合と比較して、予め定められた複数の画像処理を実行すべき画像を出力することができる。
【００１９】
請求項６に記載の発明によれば、利用者から受け付ける紙媒体の読み取りに関する設定を、予め定められた画像処理を実行すべき画像の特定に活用することができる。
【００２０】
請求項７に記載の発明によれば、読み取られる紙媒体の大きさを、予め定められた画像処理を実行すべき画像の特定に活用することができる。
【図面の簡単な説明】
【００２１】
【図１】本発明の一実施形態に係る画像処理システムのハードウェア構成の一例を示す図である。
【図２】本発明の一実施形態に係る画像処理システムにより実現される機能の一例を示す機能ブロック図である。
【図３】特定文書情報の一例を示す図である。
【図４】本実施形態に係る画像処理システムで行われる処理の流れの一例を示すフロー図である。
【図５】本実施形態に係る画像処理システムで行われる処理の流れの一例を示すフロー図である。
【図６】特定文書対応情報の一例を示す図である。
【発明を実施するための形態】
【００２２】
以下、本発明の一実施形態について図面に基づき詳細に説明する。
【００２３】
図１は、本実施形態に係る画像処理システム１のハードウェア構成の一例を示す図である。図１に例示するように、本実施形態に係る画像処理システム１は、印刷装置２と、読み取り装置３と、記憶装置４と、を含んで構成される。印刷装置２、読み取り装置３、記憶装置４は、ＬＡＮやインターネットなどの通信手段に接続されており、互いに通信されるようになっている。
【００２４】
図１に例示するように、本実施形態に係る印刷装置２は、例えば、プリンタなどであり、制御部２０、記憶部２１、通信部２２、ユーザインタフェース（ＵＩ）部２３、プリンタ部２４、を含んでいる。これらの要素は、バスを介して接続される。本実施形態に係る読み取り装置３は、例えば、スキャナなどであり、制御部３０、記憶部３１、通信部３２、ユーザインタフェース（ＵＩ）部３３、スキャナ部３４、を含んでいる。これらの要素は、バスを介して接続される。本実施形態に係る記憶装置４は、例えば、ストレージなどであり、制御部４０、記憶部４１、通信部４２、を含んでいる。これらの要素は、バスを介して接続される。
【００２５】
印刷装置２の制御部２０、読み取り装置３の制御部３０、記憶装置４の制御部４０は、ＣＰＵなどのプログラム制御デバイスであり、それぞれ、印刷装置２、読み取り装置３、記憶装置４にインストールされるプログラムに従って動作する。印刷装置２の記憶部２１、読み取り装置３の記憶部３１、記憶装置４の記憶部４１は、ＲＯＭやＲＡＭなどの記憶素子やハードディスクドライブなどである。印刷装置２の記憶部２１、読み取り装置３の記憶部３１、記憶装置４の記憶部４１には、それぞれ、印刷装置２の制御部２０、読み取り装置３の制御部３０、記憶装置４の制御部４０によって実行されるプログラムなどが記憶される。また、印刷装置２の記憶部２１、読み取り装置３の記憶部３１、記憶装置４の記憶部４１は、それぞれ、印刷装置２の制御部２０、読み取り装置３の制御部３０、記憶装置４の制御部４０のワークメモリとしても動作する。
【００２６】
印刷装置２の通信部２２、読み取り装置３の通信部３２、記憶装置４の通信部４２は、ＬＡＮカードなどの通信インタフェースであり、他の装置との間での情報の送受信を行う。
【００２７】
印刷装置２のＵＩ部２３、読み取り装置３のＵＩ部３３は、タッチパネルや、液晶ディスプレイ及び入力用デバイス（キーボード、マウス等）等によって構成される。印刷装置２のＵＩ部２３、読み取り装置３のＵＩ部３３は、それぞれ、印刷装置２の制御部２０、読み取り装置３の制御部３０から入力される指示に従って、印刷装置２の制御部２０、読み取り装置３の制御部３０から入力されるデータに基づく画面（例えば、ユーザに指示の入力を促すメニュー画面）を表示する。また、印刷装置２のＵＩ部２３、読み取り装置３のＵＩ部３３は、それぞれ、ユーザからの指示の入力を受け入れて、その入力内容を印刷装置２の制御部２０、読み取り装置３の制御部３０に出力する。
【００２８】
印刷装置２のプリンタ部２４は、紙媒体などの記録媒体を印刷する。プリンタ部２４は、本実施形態では、例えば、印刷装置２の制御部２０から入力される情報に基づいて、紙媒体などの記録媒体上に画像を形成する。
【００２９】
読み取り装置３のスキャナ部３４は、紙媒体などの記録媒体に印刷されている内容を読み取る。スキャナ部３４は、本実施形態では、例えば、紙媒体などの記録媒体の表面を光学的に読み取り、読み取った内容に対応する画像を読み取り装置３の制御部３０に出力する。また、本実施形態に係る読み取り装置３は、複数枚の紙媒体が配置されるトレイを備えている。そして、読み取り装置３のスキャナ部３４が、利用者によりトレイに配置された複数枚の紙媒体を順次読み込んで、各紙媒体に対応する画像を生成して読み取り装置３の制御部３０に出力する。
【００３０】
図２は、本実施形態に係る画像処理システム１により実現される機能の一例を示す機能ブロック図である。
【００３１】
図２に例示するように、本実施形態では、印刷装置２は、例えば、印刷部５０と、画像出力部５２とを含んでいる。印刷部５０は印刷装置２のプリンタ部２４を主として実現される。画像出力部５２は、印刷装置２の制御部２０及び通信部２２を主として実現される。
【００３２】
読み取り装置３は、例えば、読み取り部５４と、画像取得部５６と、画像受付部５８と、画像特定部６０と、画像処理実行部６２と、読み取り情報記憶部６４とを含んでいる。読み取り部５４は読み取り装置３のスキャナ部３４を主として実現される。読み取り情報記憶部６４は読み取り装置３の記憶部３１を主として実現される。画像受付部５８は、読み取り装置３の制御部３０及び通信部３２を主として実現される。その他の要素は、読み取り装置３の制御部３０を主として実現される。
【００３３】
記憶装置４は、例えば、画像受付部６６と、画像記憶部６８と、画像出力要求受付部７０と、画像出力部７２とを含んでいる。画像記憶部６８は記憶装置４の記憶部４１を主として実現される。その他の要素は、記憶装置４の制御部４０及び通信部４２を主として実現される。
【００３４】
これらの要素は、コンピュータである印刷装置２や読み取り装置３や記憶装置４にインストールされたプログラムを、印刷装置２の制御部２０や読み取り装置３の制御部３０や記憶装置４の制御部４０で実行することにより実現されている。このプログラムは、例えば、ＣＤ−ＲＯＭ、ＤＶＤ−ＲＯＭなどのコンピュータ可読な情報伝達媒体を介して、あるいは、インターネットなどの通信手段を介して印刷装置２や読み取り装置３や記憶装置４に供給される。
【００３５】
本実施形態では、例えば、印刷装置２が、利用者からの要求に応じて、図３に例示する特定文書情報７４が含まれる複数頁の文書情報を印刷する。なお、特定文書情報７４が先頭頁（１頁目）の文書情報である必要はない。図３に例示するように、本実施形態では、特定文書情報７４内に二次元コード７６が含まれている。この二次元コード７６は、例えば、複数頁の文書情報固有の情報（具体的には、例えば、サーバのアドレスやフォルダ名など）に対応している。このようにして、本実施形態では、複数頁の文書情報の内容に対応する画像が形成された複数枚の紙媒体が印刷される。
【００３６】
そして、本実施形態では、利用者が、文書情報の内容が印刷された複数枚の紙媒体に対して書き込みなどを行う。そして、利用者が、書き込みなどが行われた複数枚の紙媒体を読み取り装置３に読み込ませる。これら複数枚の紙媒体には、特定文書情報７４に対応する紙媒体が含まれている。なお、特定文書情報７４に対応する紙媒体を先頭頁（１頁目）の紙媒体として読み込ませることは必ずしも必要ではない。
【００３７】
そして、読み取り装置３が、複数枚の紙媒体を読み取って、各紙媒体に対応する画像（読み取り画像）を生成する。そして、読み取り装置３が、生成された複数の読み取り画像のうちから特定文書情報７４に対応する読み取り画像である特定読み取り画像を特定する。そして、読み取り装置３が、例えば、特定読み取り画像に含まれる二次元コード７６を解析して、二次元コード７６に対応する情報と、読み取り装置３で読み取った複数枚の紙媒体それぞれに対応する読み取り画像と、を含む情報を読み取り情報として読み取り情報記憶部６４に出力する。
【００３８】
ここで、本実施形態に係る画像処理システム１で行われる、特定文書情報７４に対応する画像を記憶装置４の画像記憶部６８に記憶させる処理の流れの一例を図４に示すフロー図を参照しながら説明する。
【００３９】
まず、印刷装置２の印刷部５０が、パーソナルコンピュータなどの利用者端末（図示せず）から受け付ける、印刷の対象となる複数頁の文書情報についての印刷要求に応じて、これらの文書情報の内容を紙媒体に印刷する（Ｓ１０１）。なお、印刷要求に、利用者により指定される印刷に関する設定が含まれていてもよい。印刷要求には、例えば、「白黒」で印刷するか「カラー」で印刷するかを指定する情報や、印刷すべき紙媒体の大きさ（用紙サイズ）を示す情報や、回転させて（例えば、横向きに）印刷することを示す情報や、１枚の紙媒体に印刷する紙媒体に頁数を指定する情報などを含んでいてもよい。そして、印刷部５０がこの設定に従って文書情報の内容を紙媒体に印刷してもよい。このように、印刷部５０は、１頁の文書情報を１枚の紙媒体に印刷するようにしてもよいし、複数頁の文書情報をまとめて１枚の紙媒体に印刷するようにしてもよい。
【００４０】
本実施形態では、印刷要求に、例えば、どの頁の文書情報が特定文書情報７４であるかを表す情報が含まれている。より具体的には、例えば、特定文書情報７４に、特定文書情報７４であることを示す情報（例えば、フラグ）が関連付けられている。
【００４１】
そして、印刷装置２の画像出力部５２が、特定文書情報７４に対応する画像を記憶装置４に出力（送信）して、記憶装置４の画像受付部６６がこの画像を受け付ける（受信する）（Ｓ１０２）。印刷装置２の画像出力部５２は、具体的には、例えば、特定文書情報７４の印刷結果の画像である特定画像を予め定められた縮小率で縮小した縮小画像（サムネイル画像）である特定縮小画像を生成して、記憶装置４に送信する。そして、記憶装置４の画像受付部６６が、この特定縮小画像を受信する。
【００４２】
そして、記憶装置４の画像受付部６６が、Ｓ１０２に示す処理で受け付けた特定縮小画像を記憶装置４の画像記憶部６８に出力する（Ｓ１０３）。このようにして、特定文書情報７４に対応する画像である特定縮小画像が記憶装置４の画像記憶部６８に記憶される。
【００４３】
次に、本実施形態における画像処理システム１で行われる、読み取り情報の出力処理の流れの一例を、図５に示すフロー図を参照しながら説明する。
【００４４】
まず、読み取り装置３の読み取り部５４が、トレイに配置された複数の紙媒体を順次読み込み、各紙媒体を光学的に読み取って、紙媒体に印刷されている内容に対応する画像（読み取り画像）を生成する（Ｓ２０１）。ここで、読み取り装置３の読み取り部５４が、読み取り装置３のＵＩ部３３を介して利用者から受け付ける設定に従って、紙媒体を読み取ってもよい。例えば、読み取り装置３の読み取り部５４が、利用者により指定される、色分布に関する設定（例えば、「白黒」で読み取るか「カラー」で読み取るかを示す設定）や、読み取る際の解像度に関する設定などに従って、紙媒体を読み取ってもよい。
【００４５】
そして、読み取り装置３の読み取り部５４は、各紙媒体に対応する読み取り画像を縮小した縮小画像（サムネイル画像）である読み取り縮小画像を生成して（Ｓ２０１）、対応する読み取り画像に関連付ける（Ｓ２０２）。なお、本処理例では、特定縮小画像の特定画像に対する縮小率は、読み取り縮小画像の読み取り画像に対する縮小率と同じである。このように、本実施形態では、読み取り装置３の読み取り部５４は、１枚の紙媒体に印刷されている内容に基づいて、この紙媒体に対応する１つの読み取り画像と１つの読み取り縮小画像とを生成する。
【００４６】
そして、読み取り装置３の画像取得部５６が、Ｓ２０２に示す処理で生成された複数の読み取り縮小画像を取得する（Ｓ２０３）。
【００４７】
そして、読み取り装置３の画像受付部５８が、特定縮小画像の出力要求を記憶装置４に送信し、記憶装置４の画像出力要求受付部７０がこの出力要求を受け付ける（Ｓ２０４）。そして、記憶装置４の画像出力部７２が、読み取り装置３に特定縮小画像を出力（送信）して、読み取り装置３の画像受付部５８がこの特定縮小画像を受け付ける（受信する）（Ｓ２０５）。
【００４８】
そして、読み取り装置３の画像特定部６０が、Ｓ２０３に示す処理で取得した複数の読み取り縮小画像のうちから、Ｓ２０５に示す処理で受信した特定縮小画像に対応する読み取り縮小画像である特定読み取り縮小画像を特定する（Ｓ２０６）。読み取り装置３の画像特定部６０は、具体的には、例えば、公知の画像特徴量算出手法を用いて、Ｓ２０３に示す処理で取得した各読み取り縮小画像の特徴量、及び、Ｓ２０５に示す処理で受信した特定縮小画像の特徴量を算出する。そして、読み取り装置３の画像特定部６０は、Ｓ２０３に示す処理で取得した各読み取り縮小画像について、公知の特徴量比較手法を用いて、読み取り縮小画像の特徴量と特定縮小画像の特徴量との比較結果に基づく、読み取り縮小画像と特定縮小画像との類似度を算出する。そして、画像特定部６０は、算出された類似度が最も高い読み取り縮小画像を特定読み取り縮小画像として特定する。このように、本実施形態では、読み取り装置３の画像特定部６０は、特定縮小画像に最も類似する読み取り縮小画像を特定読み取り縮小画像として特定する。
【００４９】
そして、読み取り装置３の画像処理実行部６２が、Ｓ２０６に示す処理で特定された特定読み取り縮小画像に関連付けられている読み取り画像（特定読み取り画像）に対して、二次元コード解析処理を実行する（Ｓ２０７）。読み取り装置３の画像処理実行部６２は、具体的には、例えば、特定読み取り画像内における、二次元コード７６が配置されている領域（二次元コード配置領域）を特定する。そして、読み取り装置３の画像処理実行部６２は、公知の二次元コード解析技術を用いて、二次元コード配置領域の二次元コード７６に対応する情報である二次元コード対応情報（例えば、フォルダ名などの文書情報固有の情報）を生成する。
【００５０】
そして、読み取り装置３の画像処理実行部６２は、Ｓ２０７に示す処理で生成された二次元コード対応情報と、読み取り装置３の読み取り部５４により生成された複数の読み取り画像と、を含む情報を読み取り情報（例えば、読み取り文書情報）として、読み取り情報記憶部６４に出力する（Ｓ２０８）。
【００５１】
Ｓ２０８に示す処理において、読み取り装置３の画像処理実行部６２は、例えば、二次元コード対応情報が示すフォルダ名のフォルダに読み取り情報を出力するようにしてもよい。
【００５２】
なお、本発明は上述の実施形態に限定されるものではない。
【００５３】
例えば、印刷装置２の画像出力部５２が、特定文書情報７４内における、二次元コード７６が示す領域の位置を示す位置情報（具体的には、例えば、二次元コード７６の左上端などの座標値と、二次元コード７６の幅及び高さの組合せ）を生成して、特定縮小画像に関連付けて記憶装置４に出力するようにしてもよい。そして、読み取り装置３の画像処理実行部６２が、特定縮小画像に関連付けられている位置情報に基づいて、読み取り特定画像内における二次元コード７６が占める領域の位置を特定して、この領域に対して二次元コード７６の解析処理を実行するようにしてもよい。
【００５４】
このように、印刷装置２の画像出力部５２が、特定縮小画像に、この特定縮小画像に対する処理の内容を示す処理内容情報を関連付けて記憶装置４に出力するようにしてもよい。そして、読み取り装置３の画像処理実行部６２が、読み取り装置３の画像特定部６０により特定された特定読み取り縮小画像に対応する特定縮小画像が含まれる特定文書対応情報７８に関連付けられた処理内容情報に対応する処理を特定読み取り縮小画像に対して実行するようにしてもよい。
【００５５】
また、例えば、印刷装置２の画像出力部５２が、特定文書情報７４に基づいて、図６に示す特定文書対応情報７８を生成して、記憶装置４に出力するようにしてもよい。図６に示すように、特定文書対応情報７８は、例えば、１つの特定文書情報７４に対応する複数の特定縮小画像を含んでいる。そして、各特定縮小画像には、その特定縮小画像の属性値が関連付けられている。
【００５６】
具体的には、例えば、印刷装置２の画像出力部５２が、互いに色分布が異なる複数の特定縮小画像（例えば、白黒の特定縮小画像、及び、カラー（例えば、２５６色）の特定縮小画像）と、各特定縮小画像に対応する色分布を示す属性値（例えば、「白黒」又は「カラー」など）と、を含む特定文書対応情報７８を生成して記憶装置４に出力するようにしてもよい。また、例えば、印刷装置２の画像出力部５２が、互いに異なる角度だけ回転させた複数の特定縮小画像（例えば、特定縮小画像、及び、この画像を９０度、１８０度、２７０度だけ右回りに回転させた特定縮小画像）と、各特定縮小画像に対応する回転角を示す属性値（例えば、９０度、１８０度、２７０度など）と、を含む特定文書対応情報７８を生成して記憶装置４に出力するようにしてもよい。また、例えば、印刷装置２の画像出力部５２が、互いに解像度が異なる複数の特定縮小画像と、各特定縮小画像に対応する解像度を示す属性値と、を含む特定文書対応情報７８を生成して記憶装置４に出力するようにしてもよい。このように、印刷装置２の画像出力部５２が、１つの特定文書情報７４に対応する複数の画像（例えば、複数の特定縮小画像）を生成して、これら複数の画像を互いに関連付けて記憶装置４に出力するようにしてもよい。
【００５７】
そして、読み取り装置３の画像受付部５８が、読み取り装置３の読み取り部５４により紙媒体が読み取られた際に利用者から受け付けた設定を示す読み取り設定情報に関連付けられた特定縮小画像の出力要求を、記憶装置４の画像出力要求受付部７０に出力するようにしてもよい。そして、記憶装置４の画像出力部７２が、出力要求に関連付けられた読み取り設定情報に対応する属性値に関連付けられた特定縮小画像を読み取り装置３に出力するようにしてもよい。そして、読み取り装置３の画像特定部６０が、これらの特定縮小画像と、各読み取り縮小画像との比較結果に基づいて、特定読み取り縮小画像を特定するようにしてもよい。
【００５８】
また、例えば、読み取り装置３の画像特定部６０が、特定文書対応情報７８に含まれるすべての特定縮小画像と、各読み取り縮小画像との比較結果に基づいて、特定読み取り縮小画像を特定するようにしてもよい。
【００５９】
また、例えば、印刷装置２の画像出力部５２が、互いに異なる縮小率で縮小した複数の特定縮小画像と、特定縮小画像に対応する紙媒体の大きさを示す属性値（本実施形態では、例えば、「Ａ４」などの用紙サイズを示す用紙サイズ情報）と、を含む特定文書対応情報７８を記憶装置４に出力するようにしてもよい。そして、読み取り装置３の読み取り部５４が、読み取り画像を生成する際に、読み込んだ紙媒体の大きさ（例えば、用紙サイズ）を検出するようにしてもよい。そして、読み取り装置３の画像特定部６０が、読み取り装置３の読み取り部５４により検出された紙媒体の大きさ（例えば、用紙サイズ）を示す情報に関連付けられている特定縮小画像と、各読み取り縮小画像との比較結果に基づいて、特定読み取り縮小画像を特定するようにしてもよい。
【００６０】
また、例えば、印刷装置２の画像出力部５２が、特定文書情報７４の頁を含む複数頁の文書情報が１枚に紙媒体に印刷される状態に対応する画像を縮小した特定縮小画像を生成して記憶装置４に出力するようにしてもよい。
【００６１】
また、例えば、印刷装置２による印刷の対象となる複数頁の文書情報のうちに特定文書情報７４が１頁だけ含まれていても複数頁含まれていてもよい。
【００６２】
また、特定縮小画像に対する特定文書情報７４の印刷結果に対する縮小率と、読み取り縮小画像の読み取り画像に対する縮小率と、が異なっていてもよい。
【００６３】
また、印刷装置２の画像出力部５２が、特定画像（特定文書情報７４の印刷結果の原寸大の画像）を記憶装置４に出力するようにしてもよい。そして、読み取り装置３の画像特定部６０が、特定画像と各読み取り画像との比較結果に基づいて、複数の読み取り画像のうちから特定画像に対応する特定読み取り画像を特定するようにしてもよい。
【００６４】
また、例えば、利用者が、印刷装置２により印刷された複数枚の紙媒体のうちの特定文書情報７４の内容に対応する画像が紙媒体と、印刷対象となった文書情報とは異なる内容が記載された少なくとも１枚の紙媒体と、を含む、複数枚の紙媒体を読み取り装置３に読み込ませるようにしてもよい。そして、読み取り装置３の画像処理実行部６２が、これらの複数枚の紙媒体に対応する読み取り画像と、上述のＳ２０７に示す処理で生成された二次元コード対応情報と、を含む情報を読み取り情報として読み取り情報記憶部６４などに出力するようにしてもよい。
【００６５】
また、例えば、画像処理システム１において、印刷装置２、読み取り装置３、記憶装置４のうちのいずれか２つ以上の装置で実現される機能が１つの筐体の装置で実現されていてもよい。また、画像処理システム１において実現される各機能が、印刷装置２、読み取り装置３、記憶装置４とはさらに異なる装置（例えば、サーバなど）にて実現されていてもよい。
【００６６】
また、二次元コード対応情報が、例えば、サーバのアドレスを示す情報であってもよい。そして、読み取り装置３の画像処理実行部６２が、例えば、二次元コード対応情報が示すアドレスが示すサーバに読み取り情報を送信するようにしてもよい。そして、サーバがこの読み取り情報を受け付けて、サーバが備えるハードディスクドライブなどの記憶手段に読み取り情報を出力するようにしてもよい。
【００６７】
また、上述のＳ２０７に示す処理で、画像処理実行部６２が、二次元コード解析処理以外の画像処理（例えば、バーコード解析処理など）を実行しても構わない。
【符号の説明】
【００６８】
１  画像処理システム、２  印刷装置、３  読み取り装置、４  記憶装置、２０  制御部、２１  記憶部、２２  通信部、２３  ユーザインタフェース（ＵＩ）部、２４  プリンタ部、３０  制御部、３１  記憶部、３２  通信部、３３  ユーザインタフェース（ＵＩ）部、３４  スキャナ部、４０  制御部、４１  記憶部、４２  通信部、５０  印刷部、５２  画像出力部、５４  読み取り部、５６  画像取得部、５８  画像受付部、６０  画像特定部、６２  画像処理実行部、６４  読み取り情報記憶部、６６  画像受付部、６８  画像記憶部、７０  画像出力要求受付部、７２  画像出力部、７４  特定文書情報、７６  二次元コード、７８  特定文書対応情報。
【図１】
2011180939.tif 000003
【図２】
2011180939.tif 000004
【図３】
2011180939.tif 000005
【図４】
2011180939.tif 000006
【図５】
2011180939.tif 000007
【図６】
2011180939.tif 000008